(57)【要約】【課題】  キャップを、枠体の中空部へ容易に取り付けることができつつ、キャップの枠体からの脱着を防止する。【解決手段】  キャップ付き枠体１０は、中空部１２Ａを有する枠体１２と、この枠体１２の端部１２Ｂに取り付けられるキャップ１４とから成る。枠体１２は、中空部１２Ａ内に枠体１２の長手方向に連続的に延びるように形成された突条１２ａを有する。キャップ１４は、キャップ１４の一部（嵌子１２Ｂ）が枠体１２の中空部１２Ａに挿入され、枠体１２の中空部１２Ａ内に形成された突条１２ａに対応する位置に枠体１２の長手方向に連続的に延びる溝１４ａが形成されている。キャップ１４は、キャップ１４の溝１４ａを枠体１２の突条１２ａに圧入して枠体１２の端部１２Ｂに取り付けられる。【選択図】        図１
2006291609.tif 000002
【特許請求の範囲】
【請求項１】
中空部を有する枠体と、前記枠体の端部に取り付けられたキャップとから成るキャップ付き枠体において、前記枠体は、前記中空部内に前記枠体の長手方向に連続的に延びるように形成された突条を有し、前記キャップは、前記キャップの一部が前記枠体の前記中空部に挿入され、前記枠体の中空部内に形成された突条に対応する位置に前記枠体の長手方向に連続的に延びる溝が形成され、前記キャップの溝を前記枠体の突条に圧入して前記枠体の端部に取り付けられることを特徴とするキャップ付き枠体。
【請求項２】
中空部を有する枠体と、前記枠体の端部に取り付けられたキャップとから成るキャップ付き枠体において、前記枠体は、前記中空部内に前記枠体の長手方向に連続的に延びるように形成された溝を有し、前記キャップは、前記キャップの一部が前記枠体の前記中空部に挿入され、前記枠体の中空部内に形成された溝に対応する位置に前記枠体の長手方向に連続的に延びる突条が形成され、前記キャップの突条を前記枠体の溝に圧入して前記枠体の端部に取り付けられることを特徴とするキャップ付き枠体。
【請求項３】
請求項１又は請求項２のいずれかに記載されたキャップ付き枠体において、前記キャップのうち、前記枠体の中空部に挿入される一部の先端にテーパーが形成されていることを特徴とするキャップ付き枠体。
【請求項４】
中空部を有する枠体の端部に取り付けられる枠体用キャップにおいて、前記キャップは、前記キャップの一部が前記枠体の前記中空部に挿入され、前記枠体の中空部内に前記枠体の長手方向に連続的に延びるように形成された突条に対応する位置に前記枠体の長手方向に連続的に延びる溝が形成され、前記キャップの溝を前記枠体の突条に圧入して前記枠体の端部に取り付けられることを特徴とする枠体用キャップ。
【請求項５】
中空部を有する枠体の端部に取り付けられる枠体用キャップにおいて、前記キャップは、前記キャップの一部が前記枠体の前記中空部に挿入され、前記枠体の中空部内に前記枠体の長手方向に連続的に延びるように形成された溝に対応する位置に前記枠体の長手方向に連続的に延びる突条が形成され、前記キャップの突条を前記枠体の溝に圧入して前記枠体の端部に取り付けられることを特徴とする枠体用キャップ。
【請求項６】
請求項４又は請求項５のいずれかに記載された枠体用キャップにおいて、前記枠体の中空部に挿入される一部の先端にテーパーが形成されていることを特徴とする枠体用キャップ付き枠体。
【請求項７】
中空部を有し端部にキャップが取り付けられる枠体において、前記枠体は、前記中空部内に前記枠体の長手方向に連続的に延びる突条を有し、前記突条には、前記枠体の前記中空部に挿入されるべき前記キャップの一部において前記突条に対応する位置に前記枠体の長手方向に連続的に延びるように形成された溝が圧入されることを特徴とする枠体。
【請求項８】
中空部を有し端部にキャップが取り付けられる枠体において、前記枠体は、前記中空部内に前記枠体の長手方向に連続的に延びる溝を有し、前記溝には、前記枠体の前記中空部に挿入されるべき前記キャップの一部において前記溝に対応する位置に前記枠体の長手方向に連続的に延びるように形成された突条が圧入されることを特徴とする枠体。
【発明の詳細な説明】
【技術分野】
【０００１】
本発明は、例えば、窓に取り付けられる格子等の枠体の端部にキャップが取り付けられたキャップ付き枠体及び、そのようなキャップ付き枠体に使用することができるキャップ及び枠体の改良に関し、特に、キャップを枠体の端部に容易に取り付けることができる一方、キャップの容易な取り外しを防止することに関するものである。
【背景技術】
【０００２】
窓等に設置される格子等は、一般に、複数の枠体を組み付けて構成される。このような枠体の端部には、キャップを嵌入して、内部に雨水等が浸入等するのを防止すると共に、枠体の中空部内に設置された螺旋の脱着により格子等を取り外されて、家屋内に不審者等に家屋内に侵入されるのを防止することが一般的である。
【０００３】
このキャップは、一般に、枠体の端面を覆うキャップ本体と、このキャップ本体から延びるようにして形成された断面が矩形状の嵌子とから成り、この嵌子を枠体の中空部内に圧入することにより、枠体の端部に取り付けられていた（例えば、特許文献１等参照）。
【０００４】
しかし、この従来技術では、断面が矩形状の嵌子を、枠体の中空部内に圧着させながら挿入するため、抵抗が大きく、取付に非常に多大な労力を要する問題があった。一方、この圧着の際の抵抗を低減させるために、嵌子の断面形状を枠体の中空部より小さく設定すると、キャップが用に外れて、上記キャップの本来の雨水の浸入や防犯機能を充分に発揮させることができない問題があった。
【０００５】
また、この従来技術では、キャップの嵌子と枠体の中空部との圧着を維持するために、嵌子と嵌子が挿入される枠体の中空部とが、略同一の断面形状を有するため、挿入の際の嵌子の中空部への位置合わせが非常に困難で、作業に手間と時間を要する問題があった。
また、キャップの嵌子が、略矩形状の断面を有するため、取付の際に、キャップの向きを間違えるおそれもあり、誤って挿入すると、今度は、キャップを取り外すことが困難である問題が生じる。
【０００６】
この場合、キャップの嵌子に突条を形成し、この突条を枠体の中空部内に圧着させながら圧着応力を高めて挿入することも考えられるが（例えば、特許文献２の図４乃至図６第参照）、単に突条を圧入させるだけでは、キャップを最初に挿入する際に誤って傾けて挿入したり、また、永年劣化等により、突条が潰れる等して変形するおそれが高く、そのため、この突条の変形により、枠体の中空部との間で充分な圧着力を保持することができず、キャップが簡易に外れてしまうことがあった。
【特許文献１】実開昭５６−１００６６７号公報
【特許文献１】特開平１０−２１７３号公報
【発明の開示】
【発明が解決しようとする課題】
【０００７】
本発明が解決しようとする課題は、上記の問題点に鑑み、キャップの枠体の中空部への取付が容易でありながら、キャップが容易に外れることがないキャップ付き枠体、及び、このようなキャップ付き枠体に使用することができるキャップ及び枠体を提供することにある。
【課題を解決するための手段】
【０００８】
本発明は、上記の課題を解決するための第１の手段として、中空部を有する枠体と、この枠体の端部に取り付けられたキャップとから成るキャップ付き枠体において、枠体は、中空部内に枠体の長手方向に連続的に延びるように形成された突条を有し、キャップは、キャップの一部が枠体の中空部に挿入され、枠体の中空部内に形成された突条に対応する位置に枠体の長手方向に連続的に延びる溝が形成され、キャップの溝を枠体の突条に圧入して枠体の端部に取り付けられることを特徴とするキャップ付き枠体を提供するものである。
【０００９】
本発明は、上記の課題を解決するための第２の手段として、中空部を有する枠体と、この枠体の端部に取り付けられたキャップとから成るキャップ付き枠体において、枠体は、中空部内に枠体の長手方向に連続的に延びるように形成された溝を有し、キャップは、キャップの一部が枠体の中空部に挿入され、枠体の中空部内に形成された溝に対応する位置に枠体の長手方向に連続的に延びる突条が形成され、キャップの突条を枠体の溝に圧入して枠体の端部に取り付けられることを特徴とするキャップ付き枠体を提供するものである。
【００１０】
本発明は、上記の課題を解決するための第３の手段として、上記第１又は第２のいずれかの解決手段において、キャップのうち、枠体の中空部に挿入される一部の先端にテーパーが形成されていることを特徴とするキャップ付き枠体を提供するものである。
【００１１】
本発明は、上記の課題を解決するための第４の手段として、中空部を有する枠体の端部に取り付けられる枠体用キャップにおいて、このキャップは、キャップの一部が枠体の中空部に挿入され、枠体の中空部内に枠体の長手方向に連続的に延びるように形成された突条に対応する位置に枠体の長手方向に連続的に延びる溝が形成され、キャップの溝を枠体の突条に圧入して枠体の端部に取り付けられることを特徴とする枠体用キャップを提供するものである。
【００１２】
本発明は、上記の課題を解決するための第５の手段として、中空部を有する枠体の端部に取り付けられる枠体用キャップにおいて、このキャップは、キャップの一部が枠体の中空部に挿入され、枠体の中空部内に枠体の長手方向に連続的に延びるように形成された溝に対応する位置に枠体の長手方向に連続的に延びる突条が形成され、キャップの突条を枠体の溝に圧入して枠体の端部に取り付けられることを特徴とする枠体用キャップを提供するものである。
【００１３】
本発明は、上記の課題を解決するための第６の手段として、上記第４又は第５のいずれかの解決手段において、枠体の中空部に挿入される一部の先端にテーパーが形成されていることを特徴とする枠体用キャップ付き枠体を提供するものである。
【００１４】
本発明は、上記の課題を解決するための第７の手段として、中空部を有し端部にキャップが取り付けられる枠体において、この枠体は、中空部内に枠体の長手方向に連続的に延びる突条を有し、突条には、枠体の中空部に挿入されるべきキャップの一部において突条に対応する位置に枠体の長手方向に連続的に延びるように形成された溝が圧入されることを特徴とする枠体を提供するものである。
【００１５】
本発明は、上記の課題を解決するための第８の手段として、中空部を有し端部にキャップが取り付けられる枠体において、この枠体は、中空部内に枠体の長手方向に連続的に延びる溝を有し、溝には、枠体の中空部に挿入されるべきキャップの一部において溝に対応する位置に枠体の長手方向に連続的に延びるように形成された突条が圧入されることを特徴とする枠体を提供するものである。
【発明の効果】
【００１６】
本発明によれば、上記のように、枠体の長手方向に連続的に延びる突条と溝とを嵌合させて、キャップを枠体に圧入しているため、キャップの嵌子を全面的に圧着させながら挿入する場合に比べ、抵抗が少なく、容易に挿入することができつつ、キャップの圧入後は、突条が、狭持されるようにして溝に圧入されるため、容易に取り外せない実益がある。
【００１７】
この場合、同時に、本発明によれば、上記のように、突条を溝に圧入してキャップを枠体に嵌合するため、枠体の中空部内に形成された突条又は溝が、挿入のガイドとなるため、適正に挿入することが容易となると共に、特に、枠体の中空部内の溝又は突条を、枠体の上下方向の中央以外の箇所に設けることにより、キャップの取付の向きを容易に判別することができ、キャップの向きを間違えることがない実益がある。
【００１８】
また、本発明によれば、キャップのうち、枠体の中空部に挿入される一部の先端にテーパーが形成されているため、キャップの先端を枠体の中空部に位置合わせして挿入しやすく、取付が容易でありながら、キャップを簡単には取り外せない実益がある。
【発明を実施するための最良の形態】
【００１９】
本発明の実施の形態を図面を参照しながら詳細に説明すると、図１及び図２は、本発明のキャップ付き枠体１０を示し、このキャップ付き枠体１０は、図１及び図２に示すように、中空部１２Ａを有する枠体１２と、この枠体１２の端部１２Ｂに取り付けられるキャップ１４とから成っている。なお、このキャップ付き枠体１０は、複数のキャップ付き枠体１０を組み付けることにより、例えば、図示しない窓に設置される格子等として使用することができる。
【００２０】
枠体１２は、通常の格子等として使用される材質及び加工方法により形成することができ、例えば、アルミニウム等の軽量性及びある程度の強度性を有する材質を、押し出し加工等することにより成形することができる。
【００２１】
この枠体１２は、図１に示す実施の形態では、図１（Ａ）に示すように、中空部１２Ａ内に、枠体１２の長手方向に連続的に延びるように形成された突条１２ａを有している。この突条１２ａは、図１に示す実施の形態では、枠体１２の中空部１２Ａ内の左右の壁面から延びるようにして形成され、左右方向に突出している。
【００２２】
なお、この突条１２ａは、図１に示す実施の形態のように、左右方向に突出する突条である場合には、枠体１２の中空部１２Ａ内において、枠体１２の上下方向の中央部以外の位置に形成することが望ましく、具体的には、図１（Ａ）に示すように、枠体１２の下端付近に形成することができる。これは、この枠体１２の突条１２ａに対応する位置に後述するキャップ１４の溝１４ａが圧入されるため、突条１２ａ及び溝１４ａの位置関係によって、キャップ１４の取付の向きを容易に判別することができると同時に、取付方向を誤って挿入するのを防止するためである。
【００２３】
一方、キャップ１４も、通常の格子用等のキャップとして使用される材質及び加工方法により形成することができ、例えば、ポリプロピレン等の加工性に優れる樹脂材料を、金属型等により成形して、加工することができる。
【００２４】
このキャップ１４は、図１（Ｂ）及び（Ｃ）に示すように、枠体１２の端部１２Ｂを覆うキャップ本体１４Ａと、このキャップ本体１４Ａから枠体１２の長手方向に延びるようにして形成され、枠体１２の中空部１２Ａに挿入される嵌子１４Ｂとを有している。キャップ本体１４Ａは、雨水等の枠体１２内への浸入を防止するために、図１に示すように、少なくとも枠体１２の端部１２Ｂと符合する形状とするか、又は、枠体１２の外周面まで延びて外周面を若干覆う形状とする。
【００２５】
このキャップ１４の嵌子１４Ｂには、図１（Ｂ）及び（Ｃ）に示すように、枠体１２の中空部１２Ａ内に形成された突条１２ａに対応する位置に、枠体１２の長手方向に連続的に延びる溝１４ａが形成されており、キャップ１４は、この溝１４ａを、枠体１２の突条１２ａに圧入して枠体１２の端部１２Ｂに取り付けられる。
【００２６】
この場合、枠体１２の長手方向に連続的に延びる突条１２ａに、キャップ１４の溝１４ａを嵌合させて、キャップ１４を枠体１２に圧入しているため、キャップ１４の嵌子１４Ｂを、枠体１２の中空部１２Ａ内の壁面に全面的に圧着させながら挿入する場合に比べ、抵抗が少なく、容易に挿入することができつつ、キャップ１４の圧入後は、枠体１２の突条１２ａが、キャップ１４の溝１４ａに狭持されるようにして圧入されるため、キャップ１４を容易に取り外すことはできない。
【００２７】
この場合、枠体１２とキャップ１４との嵌合は、専ら突条１２ａと溝１４ａとの圧入によっているため、枠体１２の突条１２ａは、キャップ１４の溝１４ａを若干拡張しながら、キャップ１４の溝１４に確実に圧入できるように、キャップ１４の溝１４ａよりも若干厚めに形成することが好ましく、また、図１（Ａ）に示すように、若干テーパを形成して抜け止め機能を付与することが好ましい。
【００２８】
なお、キャップ１４の溝１４ａは、キャップ１４を金型成形する際に、金型自体により付与することもできるし、キャップ１４を形成後、その一部を切削加工等することにより事後的に形成することもできる。
【００２９】
なお、図１に示す実施の形態では、枠体１２に突条１２ａを、キャップ１４に溝１４亜、これとは逆に、図２に示すように、枠体１２に、その中空部１２Ａ内に枠体１２の長手方向に連続的に延びるように溝１２ｂを形成し、キャップ１４に、枠体１２の中空部１２Ａ内に形成された溝１２ｂに対応する位置に枠体１２の長手方向に連続的に延びる突条１４ｂを形成して、キャップ１４の突条１４ｂを枠体１２の溝１２ｂに圧入して、キャップ１４を枠体１２の端部１２Ｂに取り付けることもできる。
【００３０】
この場合であっても、図１に示す実施の形態と同様に、キャップ１４の圧入後は、キャップ１４の突条１４ｂが、枠体１２の溝１２ｂに狭持されるようにして圧入されるため、キャップ１４を容易に取り外すことはできない。なお、このことから、再度、図１に着目すると、図１に示す実施の形態においても、枠体１２の突条１２ａを、枠体１２の上下方向の下方に設置することにより、突条１２ａと枠体１２の底面１２Ｃとの間にも、いわば溝１２ｂが形成され、この溝１２ｂに対応するキャップ１４の突条１４ｂが圧入されている状態ともなる。
【００３１】
従って、図１に示す実施の形態のように、枠体１２に突条１２ａを形成する場合において、同時に、この突条１２ａと枠体１２の底面１２Ｃとの間において、キャップ１４に形成された突条１４ｂを圧入することができる溝１２ｂを構成することができるように、突条１２ａを下方又は上方に形成することにより、いわば、枠体１２の突条１２ｂとキャップ１４の溝１４ａ、及び、枠体１２の溝１２ｂとキャップ１４の突条１４ｂの、複数の箇所で圧入されて強固に圧着させることができるため、最も好ましい実施の形態ということができる。
【００３２】
なお、この場合、上記の世縫い、圧着は専ら溝及び突条により達成されているため、キャップ１４は、それ以外の箇所においては、圧入時の不要な抵抗を避け容易に挿入することができるよう、図１（Ｂ）及び（Ｃ）並びに図２（Ｂ）及び（Ｃ）に示すように、数カ所において枠体１２の中空部１２Ａと接触する形状とすることが望ましい。
【００３３】
また、キャップ１４のうち、枠体１２の中空部１２Ａに挿入される嵌子１４Ｂの先端には、図１（Ｂ）及び（Ｃ）並びに図２（Ｂ）及び（Ｃ）に示すように、嵌子１４Ｂの四角を内側に絞るようにして形成されたテーパー１４ｃを形成することが望ましい。これにより、キャップ１４の嵌子１４Ｂの先端を、枠体１２の中空部１２Ａに位置合わせして挿入しやすくなり、取付が容易でありながら、キャップ１４を簡単には取り外せないキャップ付き枠体１０とすることができる。
【００３４】
なお、図示の実施の形態では、左右に一つずつの溝又は突条を設定したが、これらの設置個数には特に限定はなく、２つ等の任意の個数に設定することができる。あるいは、逆に、左右どちらかのみに設定することもできる。また、図示の実施の形態では、枠体１２の左右方向に対向して溝及び突条を設定したが、必ずしも、設定箇所に限定はなく、上下方向又は斜向かいの角等に設定することもできる。更には、枠体１２に形成された溝１２ｂを、キャップ１４の嵌子１４Ｂ以上の長さとすることにより、この溝１２ｂに枠体１２の補強のための鉄芯を挿入することもできる。
【産業上の利用可能性】
【００３５】
本発明のキャップ付き枠体は、複数の組み付けることにより、格子や門等に広く適用することができる。
【図面の簡単な説明】
【００３６】
【図１】図１は、本発明のキャップ付き枠体を示し、同図（Ａ）は枠体の側面図、同図Ｂ（Ｂ）はキャップの側面図、同図（Ｃ）はキャップの正面図である。
【図２】図２は、本発明のキャップ付き枠体の他の実施の形態を示し、同図（Ａ）は枠体の側面図、同図Ｂ（Ｂ）はキャップの側面図、同図（Ｃ）はキャップの正面図である。
【符号の説明】
【００３７】
１０  キャップ付き枠体
１２  枠体
１２Ａ  中空部
１２Ｂ  端部
１２Ｃ  底面
１２ａ  突条
１２ｂ  溝
１４  キャップ
１４Ａ  キャップ本体
１４Ｂ  嵌子
１４ａ  溝
１４ｂ  突条
【図１】
2006291609.tif 000003
【図２】
2006291609.tif 000004